【手続補正書】
【提出日】平成16年9月13日(2004.9.13)
【手続補正１】
【補正対象書類名】明細書
【補正対象項目名】特許請求の範囲
【補正方法】変更
【補正の内容】
【特許請求の範囲】
【請求項１】
ケースとディスプレイと入力装置と処理装置とモジュラユニットと鎖錠器と連結機構とを具備し、
前記ケースが開口を規定し、前記モジュラユニットが前記開口内に脱着可能に挿入され、
前記連結機構が前記鎖錠器に結合され、前記連結機構が第１位置と第２位置との間を移動可能であり、前記連結機構が前記第１位置にある間は前記モジュラユニットの取り外しを防止し、
前記鎖錠器がロック状態を規定している間、前記連結機構が前記第２位置に移動しないようにされ、
前記ケースが、内部に前記ディスプレイが取り付けられた第１ハウジングと、内部に前記モジュラユニットが脱着可能に挿入される前記開口を規定し、内部に前記入力装置、前記処理装置、および前記モジュラユニットが取り付けられる第２ハウジングとを具備し、
前記第１ハウジングが、前記ディスプレイを見ることができる開いた位置と格納するための閉じた位置との間で、前記第２ハウジングに対して移動し、
連結機構が、前記第２ハウジング内に取り付けられ、前記第１ハウジングが閉じた位置にあって、かつ前記連結機構が前記第１位置にあるときに、前記第１ハウジングが前記第２ハウジングに対して開くのを防止する
ことを特徴とするポータブルコンピュータ装置。
【請求項２】
ケースとディスプレイと入力装置と処理装置とモジュラユニットと鎖錠器と連結機構とを具備し、  
前記ケースが開口を規定し、前記モジュラユニットが前記開口内に脱着可能に挿入され、
前記連結機構が前記鎖錠器に結合され、前記連結機構が第１位置と第２位置との間を移動可能であり、前記連結機構が前記第１位置にある間は前記モジュラユニットの取り外しを防止し、
前記鎖錠器がロック状態を規定している間、前記連結機構が前記第２位置に移動しないようにされ、
前記連結機構が前記第１位置にある間、ポータブルコンピュータ装置の作動を制限する回路をさらに含むことを特徴とするポータブルコンピュータ装置。
【請求項３】
ケースとディスプレイと入力装置と処理装置とモジュラユニットと鎖錠器と連結機構とを具備し、  
前記ケースが開口を規定し、前記モジュラユニットが前記開口内に脱着可能に挿入され、
前記連結機構が前記鎖錠器に結合され、前記連結機構が第１位置と第２位置との間を移動可能であり、前記連結機構が前記第１位置にある間は前記モジュラユニットの取り外しを防止し、
前記鎖錠器がロック状態を規定している間、前記連結機構が前記第２位置に移動しないようにされ、
前記入力装置はキーボードであって、さらにユーザがポータブルコンピュータ装置にコマンドを入力する第２の入力装置と、前記連結機構が前記第１位置にある間前記キーボードと前記第２の入力装置をディスエイブルし、前記連結機構が前記第２位置にある間前記キーボードと前記第２の入力装置をディスエイブルしない回路とを有することを特徴とするポータブルコンピュータ装置。
【請求項４】
ケースとディスプレイと入力装置と処理装置とモジュラユニットと鎖錠器と連結機構とを具備し、  
前記ケースが開口を規定し、前記モジュラユニットが前記開口内に脱着可能に挿入され、
前記連結機構が前記鎖錠器に結合され、前記連結機構が第１位置と第２位置との間を移動可能であり、前記連結機構が前記第１位置にある間は前記モジュラユニットの取り外しを防止し、
前記鎖錠器がロック状態を規定している間、前記連結機構が前記第２位置に移動しないようにされ、
ポータブルコンピュータ装置がドッキングステーションからドッキング解除されるのを妨げる第１状態と、前記コンピュータ装置が前記ドッキングステーションからドッキング解除されるのを妨げない第２状態とを有する回路をさらに含み、前記回路が、前記連結機構が前記第１位置にある間は前記第１状態にあり、前記連結機構が前記第２位置にある間は前記第２状態にあることを特徴とするポータブルコンピュータ装置。
【請求項５】
入力装置と処理装置とモジュラユニットと前記モジュラユニットが脱着可能に挿入される開口を規定するケースとが取り付けられるハウジングと、  
前記ハウジング内に取り付けられ、ロック状態とロック解除状態のいずれかになる鎖錠器と、
前記鎖錠器に結合されて前記ハウジングに取り付けられ、第１位置と第２位置との間を移動可能な連結機構と、
ポータブルコンピュータの構成部品をディスエーブルする第１状態および前記構成部品をディスエーブルしない第２状態を有する回路とを具備し、
前記連結機構は第１位置にある間前記モジュラユニットの取り外しを制限し、前記鎖錠器がロック状態を規定している間前記第２位置に移動するのを妨げ、
前記連結機構は前記第２位置に向かって力を加えられ、前記鎖錠器がロック解除状態になると自動的に前記第２位置に移動し、
前記回路は、前記連結機構が前記第１位置の間は前記第１状態で、前記第２位置の間は前記第２状態であることを特徴とするポータブルコンピュータ装置。
【請求項６】
ケースとディスプレイと入力装置と処理装置と鎖錠器と連結機構とを具備し、  
前記連結機構が前記鎖錠器に結合され、前記連結機構が第１位置と第２位置との間を移動可能であり、
前記鎖錠器がロック状態を規定している間、前記連結機構が前記第２位置に移動しないようにされ、
前記ケースが、さらに内部に前記ディスプレイが取り付けられた第１ハウジングと、内部に前記入力装置と前記処理装置が取り付けられる第２ハウジングとを具備し、
前記第１ハウジングが、前記ディスプレイを見ることができる開いた位置と格納するための閉じた位置との間で、前記第２ハウジングに対して移動し、
前記連結機構が、前記第２ハウジング内に取り付けられ、前記第１ハウジングが閉じた位置にあって、かつ前記連結機構が前記第１位置にあるときに、前記第１ハウジングが前記第２ハウジングに対して開くのを防止し、
前記連結機構が前記第１位置にある間ポータブルコンピュータ装置の作動を制限する回路をさらに備えていることを特徴とするポータブルコンピュータ装置。
【請求項７】
ケースとディスプレイと入力装置と処理装置と鎖錠器と連結機構とを具備し、  
前記連結機構が前記鎖錠器に結合され、前記連結機構が第１位置と第２位置との間を移動可能であり、
前記鎖錠器がロック状態を規定している間、前記連結機構が前記第２位置に移動しないようにされ、
前記ケースが、さらに内部に前記ディスプレイが取り付けられた第１ハウジングと、内部に前記入力装置と前記処理装置が取り付けられた第２ハウジングとを具備し、
前記第１ハウジングが、前記ディスプレイを見ることができる開いた位置と格納するための閉じた位置との間で、前記第２ハウジングに対して移動し、
前記連結機構が、前記第２ハウジング内に取り付けられ、前記第１ハウジングが閉じた位置にあって、かつ前記連結機構が前記第１位置にあるときに、前記第１ハウジングが前記第２ハウジングに対して開くのを防止し、
前記入力装置はキーボードであって、さらに第２の入力装置を含み、前記第２の入力装置はユーザがポータブルコンピュータ装置にコマンドを入力して、前記連結機構が前記第１位置にある間前記キーボードと前記第２の入力装置をディスエイブルし、前記連結機構が前記第２位置にある間前記キーボードと前記第２の入力装置をディスエイブルしないことを特徴とするポータブルコンピュータ装置。
【請求項８】
ケースとディスプレイと入力装置と処理装置と鎖錠器と連結機構とを具備し、  
前記連結機構が前記鎖錠器に結合され、前記連結機構が第１位置と第２位置との間を移動可能であり、
前記鎖錠器がロック状態を規定している間、前記連結機構が前記第２位置に移動しないようにされ、
前記ケースが、さらに内部に前記ディスプレイが取り付けられた第１ハウジングと、内部に前記入力装置と前記処理装置が取り付けられた第２ハウジングとを具備し、
前記第１ハウジングが、前記ディスプレイを見ることができる開いた位置と格納するための閉じた位置との間で、前記第２ハウジングに対して移動し、
前記連結機構が、前記第２ハウジング内に取り付けられ、前記第１ハウジングが閉じた位置にあって、かつ前記連結機構が前記第１位置にあるときに、前記第１ハウジングが前記第２ハウジングに対して開くのを防止し、
前記連結機構が、スイッチの第１位置およびスイッチの第２位置を規定するスイッチと、
前記連結機構の前記第１位置と前記連結機構の前記第２位置との間を移動するリンクとを具備し、さらに、前記連結機構が前記第１ハウジングが前記第２ハウジングに対して前記閉じた位置にあって、かつ前記連結機構が前記第１位置にある間、前記第１ハウジングの前記閉じた位置からの移動を制限する、前記リンクに対して固定された第１部材を備え、前記リンクの第１位置が前記スイッチの第１位置と一致し、前記リンクの第２位置が前記スイッチの第２位置と一致することを特徴とするポータブルコンピュータ装置。